(57)【特許請求の範囲】
【請求項１】
取り付け状態が互いに異なるように回路基板に実装された対を成すコネクタと、
前記対を成すコネクタの各取り付け状態にそれぞれ適合して配置された対を成す記憶装置と、
前記各コネクタと該コネクタの取り付け状態に適合した前記記憶装置とをそれぞれ接続する接続ケーブルと、を有し、
前記対を成すコネクタと前記対を成す記憶装置は互いに位置固定されており、
前記接続ケーブルにより接続される前記コネクタと前記記憶装置の間の各距離は互いに異なり、
前記接続ケーブルは、前記コネクタと前記記憶装置の間の各距離に対応して互いに異なる長さに形成されるとともに、それぞれ前記対を成すコネクタ及び記憶装置のうち特定の前記コネクタと特定の前記記憶装置のみを接続できる長さに設定されたことを特徴とする情報処理装置。
【請求項２】
請求項１に記載された情報処理装置において、
前記対を成すコネクタは互いに反転した位置関係で実装され、
前記対を成す記憶装置は互いに反転した位置関係で配置されていることを特徴とする情報処理装置。
【請求項３】
請求項１に記載された情報処理装置において、
前記対を成すコネクタは互いに前記回路基板の表裏に実装され、
前記対を成す記憶装置は前記回路基板の表裏に対応する位置に配置されていることを特徴とする情報処理装置。
【請求項４】
請求項１に記載された情報処理装置において、
前記接続ケーブルの前記特定のコネクタと前記特定の記憶装置のみを接続できる長さを設定するためのケーブル固定手段を有することを特徴とする情報処理装置。
【請求項５】
請求項１に記載された情報処理装置において、
前記接続ケーブルが前記特定のコネクタと前記特定の記憶装置のみを接続できるように前記対を成すコネクタを互いに離間させて配置し、及び／又は、前記対を成す記憶装置を互いに離間させて配置したことを特徴とする情報処理装置。
【請求項６】
情報処理装置の回路基板に対を成すコネクタを取り付け状態が互いに異なるように実装する実装工程と、
対を成す記憶装置を前記対を成すコネクタの各取り付け状態にそれぞれ適合して配置する配置工程と、
前記各コネクタと該コネクタの取り付け状態に適合する前記記憶装置とをそれぞれ接続ケーブルにより接続する接続工程と、を有し、
前記対を成すコネクタと前記対を成す記憶装置を互いに位置固定し、
前記接続ケーブルにより接続される前記コネクタと前記記憶装置の間の各距離を互いに異ならせ、
前記接続ケーブルを、前記コネクタと前記記憶装置の間の各距離に対応して互いに異なる長さに形成するとともに、それぞれ前記対を成すコネクタ及び記憶装置のうち特定の前記コネクタと特定の前記記憶装置のみを接続できる長さに設定することを特徴とする情報処理装置における記憶装置の実装方法。
【請求項７】
請求項６に記載された情報処理装置における記憶装置の実装方法において、
前記実装工程では前記対を成すコネクタを互いに反転した位置関係で実装し、
前記配置工程では前記対を成す記憶装置を互いに反転した位置関係で配置することを特徴とする情報処理装置における記憶装置の実装方法。
【請求項８】
請求項６に記載された情報処理装置における記憶装置の実装方法において、
前記実装工程では前記対を成すコネクタを互いに前記回路基板の表裏に実装し、
前記配置工程では前記対を成す記憶装置を前記回路基板の表裏に対応する位置に配置することを特徴とする情報処理装置における記憶装置の実装方法。
【請求項９】
請求項６に記載された情報処理装置における記憶装置の実装方法において、
前記接続ケーブルを固定して前記特定のコネクタと前記特定の記憶装置のみを接続できる長さに設定する工程を有することを特徴とする情報処理装置における記憶装置の実装方法。
【請求項１０】
請求項６に記載された情報処理装置における記憶装置の実装方法において、
前記接続ケーブルが前記特定のコネクタと前記特定の記憶装置のみを接続できるように前記対を成すコネクタを互いに離間させて配置し、及び／又は、前記対を成す記憶装置を互いに離間させて配置することを特徴とする情報処理装置における記憶装置の実装方法。
【発明の詳細な説明】
【技術分野】
【０００１】
本発明は、画像形成装置や画像処理装置等の情報処理装置に関し、特に、回路基板のコネクタに接続ケーブルを介して複数の記憶装置が接続された情報処理装置及び、情報処理装置における記憶装置の実装方法に関する。
【背景技術】
【０００２】
情報処理装置に記憶装置、例えばハードディスクドライブ（以下、ＨＤＤという）や光学ドライブ等の不揮発性記憶装置を接続するためのインターフェース規格として、ＡＴＡ（Advanced Technology Attachment）が広く採用されている。また、近年では、不揮発性記憶装置との間のデータ転送の高速化を図るため、従来のパラレル転送方式のパラレルＡＴＡよりも高速なシリアルＡＴＡに準拠した装置が主流になりつつある。このシリアルＡＴＡのデータ転送方式では、高速な差動シリアル転送を行うため、使用するコネクタや接続ケーブルに対して、インピーダンスや差動信号間スキューが所定の規格内に収まるように、プラグコネクタ・リセプタクルコネクタのピン配列やコネクタ形状及びケーブル仕様が規格により定められている。
【０００３】
ここで、不揮発性記憶装置、例えばシリアルＡＴＡ対応のＨＤＤと情報処理装置のプリント基板等の回路基板とを接続するときには、回路基板上にシリアルＡＴＡのコネクタを実装し、このコネクタとＨＤＤとをシリアルＡＴＡの接続ケーブルにより接続するのが一般的である。その際、回路基板に実装するコネクタのピン配列やピンの追加、又はコネクタ部品をカスタム変更することは、高速な差動シリアル転送の信号品質を確保する観点等から困難であり、シリアルＡＴＡに準拠した規格部品（コネクタ、接続ケーブル）が使用される。
【０００４】
従って、情報処理装置に複数のＨＤＤを設ける場合には、回路基板に複数の同形状のコネクタが実装されるとともに、ＨＤＤに接続される対応する接続ケーブルも互いに同形状のものが使用される結果、接続されるべきもの同士が接続されずに、これら複数のコネクタと接続ケーブル及びＨＤＤ間で誤接続が発生することがある。このように接続ケーブルが誤接続されると、本来接続されるべきチャネルのコネクタとは異なるチャネルのコネクタに接続ケーブルが接続され、ＨＤＤも異なるチャネルを介して接続されることになる。このような状態で情報処理装置を起動すると、正常な動作が妨げられて、場合によってはディスクフォーマットが必要になる等して、ＨＤＤに格納された画像データやユーザデータ等の重要なデータが消去されてしまう恐れがある。
【０００５】
そこで、従来、このような問題に対処するため、最初の電源投入時には、コネクタへの信号ラインを切り離し、その状態で、設置手順を表示画面に表示してユーザに指示する等して接続ケーブルの接続等を行わせるようにした電子機器の設置手順指示装置が知られている（特許文献１参照）。
【０００６】
ところが、この従来の装置では、各コネクタへの信号ラインを切り離すための断続回路や、ユーザへの指示手段等の構成、及び、それに伴うプログラムや装置制御等が必要であり、装置が複雑化してコストが増加するという問題がある。また、この従来の装置では、例えばコネクタ及びＨＤＤを各々並設して同様な状態に配置したときには、ユーザが接続場所を間違える恐れもある等、コネクタと接続ケーブルの誤接続を防止する効果が充分でなく、より確実な対策を図る必要がある。
【０００７】
これに対し、従来、接続されたディスク装置の固有情報と、各固有情報を登録した接続情報テーブルに基づき、起動時に、それらが一致するか否かを比較する等して接続ケーブルの誤接続を検出し、誤接続を検出したときにはインジケータで表示するようにしたディスク記憶装置も知られている（特許文献２参照）。
【０００８】
しかしながら、この状来の装置では、接続ケーブルの誤接続を検出して報知できるだけで、それを防止することはできず、誤接続されたときには、誤接続された箇所を探して正しく接続し直す必要があり、手間や時間が掛かるという問題がある。
【０００９】
【特許文献１】特開平５−３４１８８２号公報
【特許文献２】特開２００６−１４６４８９号公報
【発明の開示】
【発明が解決しようとする課題】
【００１０】
本発明は、前記従来の問題に鑑みなされたものであって、その目的は、情報処理装置の回路基板に接続ケーブルを介して複数の記憶装置を接続するときに、回路基板に実装されたコネクタと接続ケーブル及び記憶装置との誤接続を簡単な構成で防止することである。
【課題を解決するための手段】
【００１１】
請求項１の発明は、情報処理装置であって、取り付け状態が互いに異なるように回路基板に実装された対を成すコネクタと、前記対を成すコネクタの各取り付け状態にそれぞれ適合して配置された対を成す記憶装置と、前記各コネクタと該コネクタの取り付け状態に適合した前記記憶装置とをそれぞれ接続する接続ケーブルと、を有し、前記対を成すコネクタと前記対を成す記憶装置は互いに位置固定されており、前記接続ケーブルにより接続される前記コネクタと前記記憶装置の間の各距離は互いに異なり、前記接続ケーブルは、前記コネクタと前記記憶装置の間の各距離に対応して互いに異なる長さに形成されるとともに、それぞれ前記対を成すコネクタ及び記憶装置のうち特定の前記コネクタと特定の前記記憶装置のみを接続できる長さに設定されたことを特徴とする。
請求項２の発明は、請求項１に記載された情報処理装置において、前記対を成すコネクタは互いに反転した位置関係で実装され、前記対を成す記憶装置は互いに反転した位置関係で配置されていることを特徴とする。
請求項３の発明は、請求項１に記載された情報処理装置において、前記対を成すコネクタは互いに前記回路基板の表裏に実装され、前記対を成す記憶装置は前記回路基板の表裏に対応する位置に配置されていることを特徴とする。
請求項４の発明は、請求項１に記載された情報処理装置において、前記接続ケーブルの前記特定のコネクタと前記特定の記憶装置のみを接続できる長さを設定するためのケーブル固定手段を有することを特徴とする。
請求項５の発明は、請求項１に記載された情報処理装置において、前記接続ケーブルが前記特定のコネクタと前記特定の記憶装置のみを接続できるように前記対を成すコネクタを互いに離間させて配置し、及び／又は、前記対を成す記憶装置を互いに離間させて配置したことを特徴とする。
請求項６の発明は、情報処理装置における記憶装置の実装方法であって、情報処理装置の回路基板に対を成すコネクタを取り付け状態が互いに異なるように実装する実装工程と、対を成す記憶装置を前記対を成すコネクタの各取り付け状態にそれぞれ適合して配置する配置工程と、前記各コネクタと該コネクタの取り付け状態に適合する前記記憶装置とをそれぞれ接続ケーブルにより接続する接続工程と、を有し、前記対を成すコネクタと前記対を成す記憶装置を互いに位置固定し、前記接続ケーブルにより接続される前記コネクタと前記記憶装置の間の各距離を互いに異ならせ、前記接続ケーブルを、前記コネクタと前記記憶装置の間の各距離に対応して互いに異なる長さに形成するとともに、それぞれ前記対を成すコネクタ及び記憶装置のうち特定の前記コネクタと特定の前記記憶装置のみを接続できる長さに設定することを特徴とする。
請求項７の発明は、請求項６に記載された情報処理装置における記憶装置の実装方法において、前記実装工程では前記対を成すコネクタを互いに反転した位置関係で実装し、前記配置工程では前記対を成す記憶装置を互いに反転した位置関係で配置することを特徴とする。
請求項８の発明は、請求項６に記載された情報処理装置における記憶装置の実装方法において、前記実装工程では前記対を成すコネクタを互いに前記回路基板の表裏に実装し、前記配置工程では前記対を成す記憶装置を前記回路基板の表裏に対応する位置に配置することを特徴とする。
請求項９の発明は、請求項６に記載された情報処理装置における記憶装置の実装方法において、前記接続ケーブルを固定して前記特定のコネクタと前記特定の記憶装置のみを接続できる長さに設定する工程を有することを特徴とする。
請求項１０の発明は、請求項６に記載された情報処理装置における記憶装置の実装方法において、前記接続ケーブルが前記特定のコネクタと前記特定の記憶装置のみを接続できるように前記対を成すコネクタを互いに離間させて配置し、及び／又は、前記対を成す記憶装置を互いに離間させて配置することを特徴とする。
【発明の効果】
【００１２】
本発明によれば、情報処理装置の回路基板に接続ケーブルを介して複数の記憶装置を接続するときに、回路基板に実装されたコネクタと接続ケーブル及び記憶装置との誤接続を簡単な構成で防止することができる。
【発明を実施するための最良の形態】
【００１３】
以下、本発明の情報処理装置の一実施形態について、図面を参照して説明する。
本実施形態の情報処理装置は、ＨＤＤや光学ドライブ等の不揮発性記憶装置や揮発性記憶装置等の複数の記憶装置が、それぞれプリント基板等の回路基板に実装されたコネクタに接続ケーブルを介して接続された、例えば画像形成装置や画像処理装置、又はＰＣ（パーソナルコンピュータ）等の画像や文章等の各種情報を処理するための装置である。
【００１４】
なお、以下の各実施形態では、情報処理装置として、複写機やファクシミリ、プリンタ等の画像情報を処理して画像を形成する画像処理装置（画像形成装置）を例に採り説明する。また、ここでは、記憶装置として不揮発性記憶装置である２つのハードディスクドライブ（ＨＤＤ）を内蔵し、かつ、それらを上記したシリアルＡＴＡのインターフェース規格に基づくシリアルＡＴＡのコネクタと接続ケーブルとにより、画像処理装置のプリント基板に接続したシリアルＡＴＡに準拠した装置を例に説明する。
【００１５】
（第１の実施形態）
図１は、第１の実施形態の画像処理装置の概略構成を示すブロック図である。
この画像処理装置１は、原稿画像を読み取るスキャナー部や、画像等を印刷用紙に印刷や印字するプロッター部、画像データ等を送受信するＦＡＸ部等を備え、例えば中央演算処理装置（ＣＰＵ）やＲＯＭ、ＲＡＭ等の各種メモリ等を備えたマイクロコンピュータ等からなる制御装置（以上、図示せず）により制御されて画像処理動作等を実行する。
【００１６】
また、画像処理装置１は、図示のように、装置各部へ電源を供給する電源生成部２、スキャナー部を制御して原稿画像の読み取りを行わせるスキャナー制御部３、ＦＡＸ部を制御するＦＡＸ制御部４、装置の操作に使用される操作部５及び、後述するコントローラ制御部１０を備えている。また、画像処理装置１は、プロッター部を制御するプロッター制御部６と、印刷用紙の供給や印刷後の用紙を排出等する周辺機を制御する周辺機制御部７とを備え、以上の各部（手段）をバス９により互いに接続している。画像処理装置１は、これらにより構成される画像処理部により制御され、スキャナー部で読み取った画像データや、ＦＡＸ制御部４及びコントローラ制御部１０から送信される画像データ等に基づき画像を印刷用紙に印刷等する。
【００１７】
コントローラ制御部１０は、外部ネットワーク網との通信を制御するネットワークＩ／Ｆ（インターフェース）制御部１１と、ＰＣやデジタルカメラ等の外部機器との通信を制御するＵＳＢ−Ｉ／Ｆ制御部１２と、シリアルＡＴＡのＨＤＤ３５Ａ、３５Ｂを制御するシリアルＡＴＡ−Ｉ／Ｆ制御部１３とを備えている。また、コントローラ制御部１０は、ネットワークＩ／Ｆ制御部１１及びＵＳＢ−Ｉ／Ｆ制御部１２が、装置本体内のプリント基板Ｐに実装された、それぞれに対応したコネクタ（ＣＮ）２０、２２に対してバス２１、２３により接続され、それらを介して外部ネットワーク及び外部機器と各々接続されて各制御を行う。
【００１８】
同様に、シリアルＡＴＡ−Ｉ／Ｆ制御部１３には、プリント基板Ｐに実装された２つのコネクタ３１Ａ、３１Ｂが、それぞれバス３０Ａ、３０Ｂにより接続され、各コネクタ３１Ａ、３１Ｂに接続された接続ケーブル３２Ａ、３２Ｂを介して２つのＨＤＤ３５Ａ、３５Ｂが接続されている。この接続ケーブル３２Ａ、３２Ｂは、ＨＤＤ３５Ａ、３５Ｂとプリント基板Ｐを接続するためのシリアルＡＴＡのインターフェースケーブルであり、一端側にシリアルＡＴＡのコネクタ３１Ａ、３１Ｂと、他端側にＨＤＤ３５Ａ、３５Ｂと、それぞれ接続するための手段（コネクタ）が設けられている。
【００１９】
シリアルＡＴＡ−Ｉ／Ｆ制御部１３は、このように接続されたＨＤＤ３５Ａ、３５Ｂを制御して、例えばスキャナー部で読み取った画像データや、ＦＡＸ送受信時の画像データ、及びネットワークＩ／Ｆ制御部１１やＵＳＢ−Ｉ／Ｆ制御部１２を経由して送受信される画像データ等をＨＤＤ３５Ａ、３５Ｂに記憶させて格納するための制御を行う。また、シリアルＡＴＡ−Ｉ／Ｆ制御部１３は、ＨＤＤ３５Ａ、３５Ｂに格納されている画像データを読み出して、プロッター制御部６を経由して印刷する制御を行い、或いは、画像データのＦＡＸ制御部４を介したＦＡＸ送信や、ネットワークＩ／Ｆ制御部１１及びＵＳＢ−Ｉ／Ｆ制御部１２を経由した外部ネットワーク及び外部機器への送信のための制御も行う。
【００２０】
ここで、この画像処理装置１では、シリアルＡＴＡ−Ｉ／Ｆ制御部１３に対して、第１のコネクタ（ＣＮ１）３１Ａが接続された一方の第１のバス３０Ａを、第１のチャネルであるＡチャネル用のバス（Ａｃｈバス）とし、第２のコネクタ（ＣＮ２）３１Ｂが接続された他方の第２のバス３０Ｂを、第２のチャネルであるＢチャネル用のバス（Ｂｃｈバス）として、それらを互いに区別している。同時に、２つのＨＤＤ３５Ａ、３５Ｂも、それぞれＡチャネルに接続すべき第１のＨＤＤ（ＨＤＤ−Ａ）３５Ａと、Ｂチャネルに接続すべき第２のＨＤＤ（ＨＤＤ−Ｂ）３５Ｂとに区別している。即ち、第１のＨＤＤ３５Ａは、第１の接続ケーブル３２Ａにより第１のコネクタ３１Ａに接続し、これらを介してＡチャネルに接続するとともに、第２のＨＤＤ３５Ｂは、第２の接続ケーブル３２Ｂにより第２のコネクタ３１Ｂに接続し、これらを介してＢチャネルに接続している。
【００２１】
また、本実施形態では、これら各コネクタ３１Ａ、３１Ｂ（チャネル）と接続ケーブル３２Ａ、３２Ｂ及びＨＤＤ３５Ａ、３５Ｂとの誤接続を防止するため、それぞれ対を成すコネクタ３１Ａ、３１Ｂ同士、及びＨＤＤ３５Ａ、３５Ｂ同士を、各々互いに異なる状態で配置して実装等している。即ち、この画像処理装置１では、対を成すコネクタ３１Ａ、３１Ｂを、取り付け状態が互いに異なるようにプリント基板Ｐに実装するとともに、これに対応して対を成すＨＤＤ３５Ａ、３５Ｂを、対を成すコネクタ３１Ａ、３１Ｂの各取り付け状態にそれぞれ適合して配置している。加えて、これら各コネクタ３１Ａ、３１Ｂと、その取り付け状態に適合したＨＤＤ３５Ａ、３５Ｂとを、それぞれ接続ケーブル３２Ａ、３２Ｂにより接続しており、以下、これら各構成の実装や配置状態等の例について説明する。なお、ここでは、コネクタ３１Ａ、３１Ｂ及びＨＤＤ３５Ａ、３５Ｂを、それぞれ２つ（一対）ずつ実装又は配置等した例を説明するが、これらは３つずつ以上のものを互いに対応させて実装又は配置等してもよい。このように、コネクタ及びＨＤＤを、それぞれ３つずつ以上実装又は配置等する場合には、その中の互いに隣り合うもの同士や、互いの配置位置が最も近いもの同士、又は間隔が最も狭いもの同士等、互いに位置関係等が相対的に近い関係にある関連したもの同士のことを、対を成すコネクタ及びＨＤＤという。従って、例えばコネクタを３つ横に並べて実装した場合には、中央のコネクタとその左側のコネクタ、及び中央のコネクタとその右側のコネクタが、それぞれ互いに対を成すコネクタになる。
【００２２】
図２は、プリント基板Ｐへのコネクタ３１Ａ、３１Ｂの実装状態を示す模式図であり、図３は、ＨＤＤ３５Ａ、３５Ｂの配置状態と図２に示すコネクタ３１Ａ、３１Ｂとの接続状態を示す模式図である。
なお、各コネクタ３１Ａ、３１Ｂは、プリント基板Ｐに半田付けや螺子止め等の実装手段（図示せず）により取り付けられて固定され、所定位置及び状態に実装されている。また、ＨＤＤ３５Ａ、３５Ｂは、固定部材等からなる実装手段（図示せず）により装置本体（図示せず）の所定位置に取り付けられて固定され、所定状態で実装されて配置されている。
【００２３】
このコネクタ３１Ａ、３１Ｂは、図２に示すように、接続ケーブル３２Ａ、３２Ｂとの接続部が同じ所定形状（図では正面視略矩形状）に形成された同じシリアルＡＴＡの規格部品（ここでは信号線用コネクタ）であり、プリント基板Ｐの同一実装面の縁部側に、互いに所定の距離を隔てて隣り合わせて取り付けられている。ただし、これら対を成すコネクタ３１Ａ、３１Ｂは、取り付け状態が互いに異なるように、隣り合うもの同士がプリント基板Ｐの実装面上で互いに反転した位置関係で実装され、その状態に各々対応して互いに反転した状態の異なる回転方向の接続ケーブル（ここで信号線用の接続ケーブル）３２Ａ、３２Ｂが接続するようになっている。また、ここでは、コネクタ３１Ａ、３１Ｂは、互いに上下及び左右の対応する各部が各々略逆側を向いた状態に反転（図２に示す内部形状参照）するように、同一実装面内で１８０度回転して回転対称になる状態でプリント基板Ｐ上に固定されている。
【００２４】
これに対し、対を成すＨＤＤ３５Ａ、３５Ｂは、図３に示すように、接続ケーブル３２Ａ、３２Ｂにより接続されるべきそれぞれのコネクタ３１Ａ、３１Ｂの各取り付け状態にそれぞれ適合するように、それらの位置や方向等の実装状態に応じて、互いに反転した位置関係で配置され、同状態で装置本体に取り付けられて実装されている。即ち、ＨＤＤ３５Ａ、３５Ｂは、表側と裏側の各面が互いに逆側を向くように相対的に一方が１８０度回転した状態で、かつ各接続ケーブル３２Ａ、３２Ｂとの接続部がコネクタ３１Ａ、３１Ｂ側を向くように、隣り合わせて並設されている。
【００２５】
その際、第１のＨＤＤ３５Ａは、接続されるべき第１のコネクタ３１Ａの実装状態に対応して、その実装位置に対向する位置に配置されるとともに、取り付けられた第１の接続ケーブル３２Ａを、捻る等することなく第１のコネクタ３１Ａに接続できるように反転方向（表裏面の配置方向）が決定されて装置本体に実装されている。一方、第２のＨＤＤ３５Ｂは、接続されるべき第２のコネクタ３１Ｂの実装状態に対応して、その実装位置に略対向する位置に配置されるとともに、取り付けられた第２の接続ケーブル３２Ｂを、捻る等することなく第２のコネクタ３１Ｂに接続できるように反転方向が決定されて、第１のＨＤＤ３５Ａに対して１８０度反転した状態で装置本体に実装されている。これにより、各接続ケーブル３２Ａ、３２Ｂは、各コネクタ３１Ａ、３１Ｂと、その取り付け状態に適合したＨＤＤ３５Ａ、３５Ｂとを、それぞれ接続するようになっている。
【００２６】
このような画像処理装置１におけるＨＤＤ３５Ａ、３５Ｂ等の各構成の実装方法は、まず、対を成すコネクタ３１Ａ、３１Ｂを、画像処理装置１のプリント基板Ｐに、その取り付け状態が互いに異なるように実装する。その際、ここでは、コネクタ３１Ａ、３１Ｂを、プリント基板Ｐの同一実装面上で互いに反転した位置関係（ここでは、同一実装面内で一方が他方に対して１８０度回転した状態）になるように実装する。また、対を成すＨＤＤ３５Ａ、３５Ｂを、対を成すコネクタ３１Ａ、３１Ｂの各取り付け状態にそれぞれ適合するように、接続されるべきそれぞれのコネクタ３１Ａ、３１Ｂの実装状態に応じて、互いに表裏反転した位置関係で配置して、同状態で装置本体に取り付けて実装する。その後、画像処理装置１の組立時等に、ＨＤＤ３５Ａ、３５Ｂから伸びる接続ケーブル３２Ａ、３２Ｂを、それぞれ位置及び実装方向等が対応する状態のコネクタ３１Ａ、３１Ｂに接続することで、ＨＤＤ３５Ａ、３５Ｂと各々対応する位置関係のコネクタ３１Ａ、３１Ｂとを接続ケーブル３２Ａ、３２Ｂにより接続する。
【００２７】
以上のようにして、各コネクタ３１Ａ、３１Ｂと、その取り付け状態に適合するＨＤＤ３５Ａ、３５Ｂとを、接続ケーブル３２Ａ、３２Ｂにより接続し、各ＨＤＤ３５Ａ、３５Ｂを各々接続すべきコネクタ３１Ａ、３１Ｂに接続する。これにより、第１のＨＤＤ３５Ａ（図１参照）を、第１のバス３０Ａ（Ａｃｈバス）を介してシリアルＡＴＡ−Ｉ／Ｆ制御部１３のＡチャネル（Ａｃｈ）に接続し、第２のＨＤＤ３５Ｂを、第２のバス３０Ｂ（Ｂｃｈバス）を介してシリアルＡＴＡ−Ｉ／Ｆ制御部１３のＢチャネル（Ｂｃｈ）に接続する。
【００２８】
ここで、コネクタ３１Ａ、３１Ｂ及びＨＤＤ３５Ａ、３５Ｂを、それぞれ互いに反転させずに同一状態（同一位置関係）に配置して実装等した場合には、本来接続すべきもの同士が接続されずに異なるコネクタ３１Ａ、３１Ｂ（チャネル）にＨＤＤ３５Ａ、３５Ｂが接続される懸念がある。また、それらが適切に接続されたとしても、接続ケーブル３２Ａ、３２Ｂが捻られた状態で配線されることもあり、そのような場合には、接続ケーブル３２Ａ、３２Ｂやコネクタ３１Ａ、３１Ｂに無理な力が加えられて圧力が作用する。その結果、経時劣化が加速する等して、コネクタ３１Ａ、３１Ｂの実装位置を中心に、プリント基板Ｐの半田の劣化や、実装強度低下、或いは接続ケーブル３２Ａ、３２Ｂの断線等の欠陥が発生し易くなる恐れがある。
【００２９】
しかしながら、本実施形態の画像処理装置１では、コネクタ３１Ａ、３１Ｂ及びＨＤＤ３５Ａ、３５Ｂを、互いに対応させた状態で、各々反転した位置関係で実装及び配置等するため、各接続ケーブル３２Ａ、３２Ｂを捻って配線等することなく、それぞれ対応する状態のコネクタ３１Ａ、３１Ｂに接続するだけで、接続すべきもの同士を互いに正しく接続させることができる。
【００３０】
従って、本実施形態によれば、画像処理装置１のプリント基板Ｐに接続ケーブル３２Ａ、３２Ｂを介してＨＤＤ３５Ａ、３５Ｂを接続するときに、プリント基板Ｐのコネクタ３１Ａ、３１Ｂと接続ケーブル３２Ａ、３２Ｂ及びＨＤＤ３５Ａ、３５Ｂとの誤接続を簡単な構成で防止することができる。同時に、接続ケーブル３２Ａ、３２Ｂやコネクタ３１Ａ、３１Ｂに無理な力が作用せずに、上記した経時劣化の進行を抑制して接続ケーブル３２Ａ、３２Ｂやコネクタ３１Ａ、３１Ｂ及びプリント基板Ｐ等に欠陥が発生するのを防止することもできる。
【００３１】
また、ＨＤＤ３５Ａ、３５Ｂが異なるチャネルを介してシリアルＡＴＡ−Ｉ／Ｆ制御部１３に接続されるのを防止できるため、装置起動時に、それらを正常に動作させることができ、上記したディスクフォーマットによる格納された画像データやユーザデータ等の重要なデータが消去されてしまう事態が発生するのを防止することもできる。加えて、誤接続に伴う再接続作業等もなくなるため、従来必要であった再接続のための手間や時間を削減することもできる。
【００３２】
なお、本実施形態では、コネクタ３１Ａ、３１Ｂを、その長手方向が横方向（図２参照）を向くようにプリント基板Ｐに実装したが、コネクタ３１Ａ、３１Ｂは、それぞれ長手方向が上下方向を向くように、互いに反転した状態（位置関係）で実装してもよい。この場合には、ＨＤＤ３５Ａ、３５Ｂも、接続すべきコネクタ３１Ａ、３１Ｂの実装状態に合わせて、互いに反転した状態で背中合わせ等に配置する。
【００３３】
次に、接続ケーブル３２Ａ、３２Ｂやコネクタ３１Ａ、３１Ｂ、又はＨＤＤ３５Ａ、３５Ｂを、以上と異なるように配置や実装等した、画像処理装置１の他の実施形態について説明する。ただし、以下では、以上説明した第１の実施形態の構成と同一の構成については同一の符号を付して詳説は省略し、異なる構成について詳細に説明する。
【００３４】
（第２の実施形態）
まず、以上説明した画像処理装置１に対し、ＨＤＤ３５Ａ、３５Ｂの配置と接続ケーブル３２Ａ、３２Ｂの長さが異なる第２の実施形態について説明する。
図４は、この第２の実施形態のプリント基板Ｐへのコネクタ３１Ａ、３１Ｂの実装状態を示す模式図であり、図５は、図４に示すコネクタ３１Ａ、３１Ｂと接続されたＨＤＤ３５Ａ、３５Ｂの配置状態等を示す模式図である。
【００３５】
第２の実施形態では、図４に示すように、対を成すコネクタ３１Ａ、３１Ｂ及び、そのプリント基板Ｐへの実装状態は、既に説明した第１の実施形態の前記コネクタ３１Ａ、３１Ｂ（図２参照）と同様に構成され、同様に、プリント基板Ｐの同一実装面上で互いに反転（１８０度回転）した状態に取り付けられて位置が固定されている。また、図５に示すように、対を成すＨＤＤ３５Ａ、３５Ｂと、その配置状態も、第１の実施形態の前記ＨＤＤ３５Ａ、３５Ｂ（図３参照）と同様に構成され、同様に、接続されるべき各コネクタ３１Ａ、３１Ｂの実装状態に応じて、互いに表裏反転等した状態に配置されて装置本体に実装されて位置が固定されている。
【００３６】
しかしながら、この第２の実施形態では、一方のＨＤＤ（ここでは第２のＨＤＤ３５Ｂ）が、対応する第２のコネクタ３１Ｂから離れた位置に配置され、ＨＤＤ３５Ａ、３５Ｂ間の距離がより長くなるように離間して装置本体に取り付けられている。また、これに伴い、接続ケーブル３２Ａ、３２Ｂの長さが互いに異なる長さに形成等されている点で、第１の実施形態と相違する。
【００３７】
具体的には、ここでは、第１のＨＤＤ３５Ａは、接続されるべき第１のコネクタ３１Ａの実装状態に対応して、その実装位置に対向する位置に配置されるとともに、取り付けられた第１の接続ケーブル３２Ａを、捻る等することなく第１のコネクタ３１Ａに接続できるように反転方向（表裏面の配置方向）が決定されて、第１のコネクタ３１Ａの取り付け状態に対応（適合）するように装置本体に実装されている。一方、第２のＨＤＤ３５Ｂは、接続されるべき第２のコネクタ３１Ｂの実装状態に対応して、取り付けられた第２の接続ケーブル３２Ｂを、捻る等することなく第２のコネクタ３１Ｂに接続できるように反転方向が決定されて、第１のＨＤＤ３５Ａに対して１８０度反転（表裏が逆）した状態で装置本体に実装されている。ただし、第２のＨＤＤ３５Ｂは、第１のＨＤＤ３５Ａに隣り合う並設位置（図３参照）から離間する方向（図では右方向）に平行にスライドして、第２のコネクタ３１Ｂ及び第１のＨＤＤ３５Ａから離れた位置に所定の距離を隔てて、同位置で第２のコネクタ３１Ｂの取り付け状態に適合するように配置されている。
【００３８】
また、これに伴い、各ＨＤＤ３５Ａ、３５Ｂに接続された接続ケーブル３２Ａ、３２Ｂが互いに異なる長さに、かつ、ＨＤＤ３５Ａ、３５Ｂと対応するコネクタ３１Ａ、３１Ｂとの間の各距離（接続距離）に対応して、第１の接続ケーブル３２Ａが短く、第２の接続ケーブル３２Ｂが長く形成されている。加えて、本実施形態では、少なくとも一方の接続ケーブル（ここでは、より短い第１の接続ケーブル３２Ａ）が、接続されるべき対応する一方のコネクタ（ここでは第１のコネクタ３１Ａ）のみに接続可能な長さに形成されている。その結果、この第１の接続ケーブル３２Ａが接続された第１のＨＤＤ３５Ａは、第１の接続ケーブル３２Ａにより、対応する第１のコネクタ３１Ａのみに接続可能で、他方の第２のコネクタ３１Ｂとは接続不能になっている。
【００３９】
従って、この第２の実施形態では、ＨＤＤ３５Ａ、３５Ｂから伸びる接続ケーブル３２Ａ、３２Ｂを、それぞれ対応（適合）するコネクタ３１Ａ、３１Ｂに接続するときに、それらの接続状態が一意的に決定されて、互いに接続すべきもの同士が接続される。即ち、第１の接続ケーブル３２Ａから接続するときには、対応する状態の第１のコネクタ３１Ａのみに接続可能であり、第２のコネクタ３１Ｂに接続されることはなく、続いて接続する第２の接続ケーブル３２Ｂも、対応する状態の第２のコネクタ３１Ｂに正しく接続される。
【００４０】
これに対し、第２の接続ケーブル３２Ｂから接続するときには、通常は対応する状態にある第２のコネクタ３１Ｂに接続されるが、捻る等することで第１のコネクタ３１Ａに誤って接続されることがある。しかしながら、この場合でも、続いて第１の接続ケーブル３２Ａを接続するときに、未接続の第２のコネクタ３１Ｂに接続できないことから、最初の第２の接続ケーブル３２Ａの誤接続がわかり、それらを接続し直すことで正しく接続される。その結果、各ＨＤＤ３５Ａ、３５Ｂが、接続ケーブル３２Ａ、３２Ｂにより、各々接続すべき適合する取り付け状態のコネクタ３１Ａ、３１Ｂに接続され、シリアルＡＴＡ−Ｉ／Ｆ制御部１３の対応するチャネルにそれぞれ接続される。
【００４１】
このように、この第２の実施形態でも、コネクタ３１Ａ、３１Ｂ及びＨＤＤ３５Ａ、３５Ｂを、互いに対応させた状態で、各々反転した位置関係で実装及び配置等するため、各接続ケーブル３２Ａ、３２Ｂを捻って配線等することなく、それぞれ対応する状態のコネクタ３１Ａ、３１Ｂに接続するだけで、接続すべきもの同士を互いに正しく接続させることができる。従って、コネクタ３１Ａ、３１Ｂと接続ケーブル３２Ａ、３２Ｂ及びＨＤＤ３５Ａ、３５Ｂとの誤接続を簡単な構成で防止できる等、第１の実施形態と同様の上記した各効果を得ることができる。
【００４２】
また、例えば各接続ケーブル３２Ａ、３２Ｂの長さが同じで余裕のある長さであるときには、両接続ケーブル３２Ａ、３２Ｂを捻りながら交差させて配線することで、本来接続すべきコネクタ３１Ａ、３１Ｂとは異なるコネクタ３１Ａ、３１Ｂに接続される恐れがある。ところが、本実施形態では、上記したように、各接続ケーブル３２Ａ、３２Ｂの接続対象が一意的に決定されるため、その誤接続をより確実に防止することができる。同時に、接続ケーブル３２Ａ、３２Ｂの捻りや交差等の不適切な状態での配線も防止できるため、接続ケーブル３２Ａ、３２Ｂやコネクタ３１Ａ、３１Ｂに無理な力が作用せず、上記した経時劣化の進行に伴う接続ケーブル３２Ａ、３２Ｂやコネクタ３１Ａ、３１Ｂ及びプリント基板Ｐ等の欠陥の発生を一層効果的に防止することもできる。
【００４３】
なお、ここでは、より短い第１の接続ケーブル３２Ａを、対応する第１のコネクタ３１Ａのみに接続可能な長さに形成したが、逆に、より長い第２の接続ケーブル３２Ｂを、対応する第２のコネクタ３１Ｂのみに接続可能な長さに形成してもよい。また、それら両方を共に、それぞれ対応する各コネクタ３１Ａ、３１Ｂのみに接続可能な長さに形成してもよく、両ケーブル長を同じ長さに形成してもよい。更に、接続ケーブル３２Ａ、３２Ｂは、全長を以上のように所定長さに形成する以外に、例えば、より長く形成して前記所定長さに対応する長さになるように束ねて縛ったり、或いは、長手方向の一部を接着剤や固定部材で固定して接続対象を限定する等して、対を成すコネクタ３１Ａ、３１Ｂ及びＨＤＤ３５Ａ、３５Ｂのうち、互いに対応する特定のコネクタ３１Ａ、３１Ｂと特定のＨＤＤ３５Ａ、３５Ｂのみを接続できる長さに設定すればよい。このように、その長さや設定方法を問わず、接続ケーブル３２Ａ、３２Ｂの少なくとも１つを、ＨＤＤ３５Ａ、３５Ｂと対応するコネクタ３１Ａ、３１Ｂのみを互いに接続可能な長さに設定し、接続ケーブル３２Ａ、３２Ｂ内に、そのような長さの接続ケーブルを有するようにすれば、上記した効果を得ることができる。
【００４４】
（第３の実施形態）
次に、第１の実施形態の画像処理装置１に対し、接続ケーブル３２Ａ、３２Ｂの少なくとも一方を所定位置に固定する第３の実施形態について説明する。
図６は、この第３の実施形態のプリント基板Ｐへのコネクタ３１Ａ、３１Ｂの実装状態を示す模式図であり、図７は、図６に示すコネクタ３１Ａ、３１Ｂと接続されたＨＤＤ３５Ａ、３５Ｂの配置状態等を示す模式図である。
【００４５】
第３の実施形態では、図６、図７に示すように、コネクタ３１Ａ、３１ＢとＨＤＤ３５Ａ、３５Ｂ及び、それらを接続する接続ケーブル３２Ａ、３２Ｂは、既に説明した第１の実施形態（図２、図３参照）と同様に構成され、同じ状態で互いに反転した位置関係で各々適合等して配置や実装及び接続等されている。しかしながら、この第３の実施形態では、ＨＤＤ３５Ａ、３５Ｂに接続された接続ケーブル３２Ａ、３２Ｂの一方又は両方（ここでは一方）をクランプして固定するケーブル固定手段４０を有する点で、第１の実施形態と相違する。
【００４６】
具体的には、ここでは、ケーブル固定手段４０（ここでは略矩形状のクランプ部材）により、第２のＨＤＤ３５Ｂに接続された第２の接続ケーブル３２Ｂを、その長手方向の一ヶ所で装置本体内の所定位置に固定し、他端側の先端部（第２のコネクタ３１Ｂとの接続部）が移動できる範囲を制限している。これにより、ケーブル固定手段４０は、第２の接続ケーブル３２Ｂの先端部の移動可能範囲を所定範囲に規制し、第２の接続ケーブル３２Ｂを、第２のＨＤＤ３５Ｂと、それと接続すべき対応する第２のコネクタ３１Ｂのみを互いに接続可能にしている。その結果、第２の接続ケーブル３２Ｂは、第２のＨＤＤ３５Ｂと、その取り付け状態に適合した対応する第２のコネクタ３１Ｂとのみを接続させ、他方の第１のコネクタ３１Ａとは接続不能にしている。即ち、ケーブル固定手段４０は、第２の接続ケーブル３２Ｂを固定して、その長さを、第２のコネクタ３１Ｂと第２のＨＤＤ３５Ｂとのみを互いに接続可能な長さに設定しており、第２の実施形態で説明した、接続ケーブル３２Ａ、３２Ｂの特定のコネクタ３１Ａ、３１Ｂと特定のＨＤＤ３５Ａ、３５Ｂのみを接続できる長さを設定するための手段になっている。
【００４７】
従って、この第３の実施形態では、上記した第２の実施形態（図４、図５参照）と同様に、ＨＤＤ３５Ａ、３５Ｂから伸びる接続ケーブル３２Ａ、３２Ｂを、それぞれ対応（適合）するコネクタ３１Ａ、３１Ｂに接続するときに、それらの接続状態が一意的に決定されて、互いに接続すべきもの同士が接続される。その結果、各ＨＤＤ３５Ａ、３５Ｂが、接続ケーブル３２Ａ、３２Ｂにより各々接続すべき適合する取り付け状態のコネクタ３１Ａ、３１Ｂに接続され、シリアルＡＴＡ−Ｉ／Ｆ制御部１３の対応するチャネルにそれぞれ正しく接続される。
【００４８】
このように、この第３の実施形態でも、コネクタ３１Ａ、３１Ｂと接続ケーブル３２Ａ、３２Ｂ及びＨＤＤ３５Ａ、３５Ｂとの誤接続を簡単な構成で防止できる等、第２の実施形態と同様の上記した各効果を得ることができる。即ち、本実施形態でも、各接続ケーブル３２Ａ、３２Ｂの接続対象が一意的に決定されるため、その誤接続を確実に防止できるとともに、接続ケーブル３２Ａ、３２Ｂの捻りや交差等の不適切な状態での配線も防止できる。これに伴い、上記した経時劣化の進行やプリント基板Ｐ等の欠陥の発生を効果的に防止することもできる。
【００４９】
なお、ここでは、第２の接続ケーブル３２Ｂのみをケーブル固定手段４０により固定して、第２のコネクタ３１Ｂと対応する第２のＨＤＤ３５Ｂのみを接続できる長さに設定したが、第１の接続ケーブル３２Ａのみを、又は両接続ケーブル３２Ａ、３２Ｂのそれぞれを、同様に、ケーブル固定手段４０により固定するようにしてもよい。このように、ＨＤＤ３５Ａ、３５Ｂと対応するコネクタ３１Ａ、３１Ｂのみが接続するように接続ケーブル３２Ａ、３２Ｂの少なくとも１つ（一方又は両方）を固定して、その長さを所定長さに設定すれば、上記した効果を得ることができる。また、この第３の実施形態と上記した第２の実施形態を組み合わせて、接続ケーブル３２Ａ、３２Ｂの一方をケーブル固定手段４０により固定し、他方を対応するコネクタ３１Ａ、３１ＢとＨＤＤ３５Ａ、３５Ｂのみを接続可能な長さに形成してもよい。
【００５０】
（第４の実施形態）
次に、第１の実施形態の画像処理装置１に対し、コネクタ３１Ａ、３１Ｂ同士、及びＨＤＤ３５Ａ、３５Ｂ同士の間隔を変更した第４の実施形態について説明する。
図８は、この第４の実施形態のプリント基板Ｐへのコネクタ３１Ａ、３１Ｂの実装状態を示す模式図であり、図９は、図８に示すコネクタ３１Ａ、３１Ｂと接続されたＨＤＤ３５Ａ、３５Ｂの配置状態等を示す模式図である。
【００５１】
第４の実施形態では、図８、図９に示すように、コネクタ３１Ａ、３１ＢとＨＤＤ３５Ａ、３５Ｂ及び、それらを接続する接続ケーブル３２Ａ、３２Ｂは、既に説明した第１の実施形態（図２、図３参照）と同様に構成され、同様に互いに反転等して配置や実装及び接続等されている。しかしながら、この第４の実施形態では、コネクタ３１Ａ、３１Ｂの実装位置及び、ＨＤＤ３５Ａ、３５Ｂを、互いに隣り合わせて配置せずに、それぞれ離間させて配置した点で、第１の実施形態と相違する。
【００５２】
具体的には、ここでは、コネクタ３１Ａ、３１Ｂを、プリント基板Ｐの同一実装面上で隣り合う２つの角部側（図８、図９では下辺側の左右の角部付近）に配置し、それぞれ離れた位置に実装している。また、このコネクタ３１Ａ、３１Ｂの実装位置に対応して、ＨＤＤ３５Ａ、３５Ｂを、それぞれ接続されるべきコネクタ３１Ａ、３１Ｂに対向するように配置するとともに、これら対向したもの同士を、各々の間隔と略同じ長さに形成されて、それらのみを互いに接続できる長さに設定された接続ケーブル３２Ａ、３２Ｂにより接続している。このようにして、コネクタ３１Ａ、３１Ｂの実装位置、及びＨＤＤ３５Ａ、３５Ｂを、それぞれ対応するＨＤＤ３５Ａ、３５Ｂとコネクタ３１Ａ、３１Ｂのみが各接続ケーブル３２Ａ、３２Ｂにより接続される位置に、それぞれ互いに離間させて配置している。
【００５３】
その結果、ＨＤＤ３５Ａ、３５Ｂに接続された各接続ケーブル３２Ａ、３２Ｂは、それぞれ対応（適合）するコネクタ３１Ａ、３１Ｂのみに接続するように、その接続対象が一意的に決定され、異なるコネクタ３１Ａ、３１Ｂに接続されずに、互いに接続すべきもの同士が接続される。従って、各ＨＤＤ３５Ａ、３５Ｂが、接続ケーブル３２Ａ、３２Ｂにより各々接続すべきコネクタ３１Ａ、３１Ｂに接続され、シリアルＡＴＡ−Ｉ／Ｆ制御部１３の対応するチャネルにそれぞれ正しく接続される。
【００５４】
このように、この第４の実施形態でも、コネクタ３１Ａ、３１Ｂと接続ケーブル３２Ａ、３２Ｂ及びＨＤＤ３５Ａ、３５Ｂとの誤接続を簡単な構成で防止できる等、前記各実施形態と同様の上記した各効果を得ることができる。即ち、本実施形態でも、各接続ケーブル３２Ａ、３２Ｂの接続対象が一意的に決定されるため、その誤接続を確実に防止できるとともに、接続ケーブル３２Ａ、３２Ｂの捻りや交差等の不適切な状態での配線も防止できる。これに伴い、上記した経時劣化の進行やプリント基板Ｐ等の欠陥の発生を効果的に防止することもできる。
【００５５】
なお、これらコネクタ３１Ａ、３１Ｂと接続ケーブル３２Ａ、３２Ｂ及びＨＤＤ３５Ａ、３５Ｂは、それぞれ接続されるもの同士のみが対応した状態で接続すればよく、従って、上記よりも互いに近い位置に配置する等、プリント基板Ｐ上や装置本体の他の位置に配置してもよい。また、同様の状態になるように、コネクタ３１Ａ、３１Ｂのみを、又はＨＤＤ３５Ａ、３５Ｂのみを、それぞれ互いに離間させて配置してもよい。即ち、接続ケーブル３２Ａ、３２Ｂが、特定のコネクタ３１Ａ、３１Ｂと、対応する特定のＨＤＤ３５Ａ、３５Ｂのみを接続できるように、対を成すコネクタ３１Ａ、３１Ｂを互いに離間させて配置し、及び／又は、対を成すＨＤＤ３５Ａ、３５Ｂを互いに離間させて配置すればよい。
【００５６】
（第５の実施形態）
次に、第１の実施形態の画像処理装置１に対し、コネクタ３１Ａ、３１Ｂをプリント基板Ｐの異なる面に実装等した第５の実施形態について説明する。
図１０は、この第５の実施形態のプリント基板Ｐへのコネクタ３１Ａ、３１Ｂの実装状態を示す模式図であり、図１０Ａはプリント基板Ｐの側面図、図１０Ｂはプリント基板Ｐの正面図を、それぞれ概略的に示している。また、図１１は、図１０に示すコネクタ３１Ａ、３１Ｂと接続されたＨＤＤ３５Ａ、３５Ｂの配置状態等を示す模式図であり、図１０Ａに対応してプリント基板Ｐの側面から見た状態を概略的に示している。
【００５７】
第５の実施形態では、図１０、図１１に示すように、コネクタ３１Ａ、３１ＢとＨＤＤ３５Ａ、３５Ｂ及び、それらを接続する接続ケーブル３２Ａ、３２Ｂは、既に説明した第１の実施形態（図２、図３参照）と同様に構成及び配置されている。しかしながら、この第５の実施形態では、対を成すコネクタ３１Ａ、３１Ｂを、プリント基板Ｐ（図１０Ａ参照）の互いに逆側の面に配置して、その取り付け状態が互いに異なるように実装している。また、対を成すＨＤＤ３５Ａ、３５Ｂを側面視対向して各コネクタ３１Ａ、３１Ｂの取り付け状態にそれぞれ適合した状態に配置し、各接続ケーブル３２Ａ、３２Ｂでそれらを接続した点で、第１の実施形態と相違する。
【００５８】
具体的には、ここでは、一方の第１のコネクタ３１Ａをプリント基板Ｐの部品面（図１０Ａでは右面）に、他方の第２のコネクタ３１Ｂをプリント基板Ｐの半田面（図１０Ａでは左面）に、それぞれプリント基板Ｐを挟んで離れた位置に配置（図１０Ｂ参照）し、対を成すコネクタ３１Ａ、３１Ｂを、互いにプリント基板Ｐの表裏に実装している。
【００５９】
また、対を成すＨＤＤ３５Ａ、３５Ｂ（図１１参照）は、各接続ケーブル３２Ａ、３２Ｂにより接続されるべき、それぞれのコネクタ３１Ａ、３１Ｂの実装面に応じて、プリント基板Ｐの表裏に対応する位置に配置されている。即ち、ＨＤＤ３５Ａ、３５Ｂは、互いにプリント基板Ｐを挟んだ逆側の領域（プリント基板Ｐ及びその延長面を挟んだ各空間）に配置され、同状態で装置本体に取り付けられて実装されている。このようにして、ＨＤＤ３５Ａ、３５Ｂは、その一部又は全体が所定面で向かい合うように対向するとともに、１８０度回転して互いに反転した状態に、かつ各接続ケーブル３２Ａ、３２Ｂの接続側が各コネクタ３１Ａ、３１Ｂ側を向くように略平行に配置される。その際、ここでは、これらＨＤＤ３５Ａ、３５Ｂは、プリント基板Ｐを挟んだ位置ではなく、プリント基板Ｐの一方側（図１１では下側）の延長面を挟んだ位置で、第１のＨＤＤ３５Ａが対応する第１のコネクタ３１Ａと同じ領域側（図１１では右側）に、第２のＨＤＤ３５Ｂが対応する第２のコネクタ３１Ｂと同じ領域側（図１１では左側）に、それぞれ配置されている。
【００６０】
加えて、各ＨＤＤ３５Ａ、３５Ｂのプリント基板Ｐ側（図１１では上端側）から伸びる接続ケーブル３２Ａ、３２Ｂは、捻られる等することなく対応する各コネクタ３１Ａ、３１Ｂに接続するように、対応するコネクタ３１Ａ、３１Ｂの実装方向等に応じて適合するように配線されている。その結果、ＨＤＤ３５Ａ、３５Ｂに接続された各接続ケーブル３２Ａ、３２Ｂは、それぞれプリント基板Ｐを挟んだ同じ領域側のコネクタ３１Ａ、３１Ｂに接続され、ＨＤＤ３５Ａ、３５Ｂとプリント基板Ｐの対応する領域側のコネクタ３１Ａ、３１Ｂとをそれぞれ接続するようになっている。
【００６１】
このような画像処理装置１におけるＨＤＤ３５Ａ、３５Ｂ等の各構成の実装方法は、まず、対を成すコネクタ３１Ａ、３１Ｂを、互いにプリント基板Ｐの逆側の面（表裏）に実装する。また、対を成すＨＤＤ３５Ａ、３５Ｂを、接続ケーブル３２Ａ、３２Ｂにより接続されるべきそれぞれのコネクタ３１Ａ、３１Ｂの実装面に応じて、プリント基板Ｐの表裏に対応する位置に配置し、互いにプリント基板Ｐを挟んだ逆側の領域に反転した状態で装置本体に実装する。その後、画像処理装置１の組立時等に、ＨＤＤ３５Ａ、３５Ｂから伸びる接続ケーブル３２Ａ、３２Ｂを、それぞれ対応する同じ領域側の対応する状態のコネクタ３１Ａ、３１Ｂに接続することで、ＨＤＤ３５Ａ、３５Ｂと各々対応するコネクタ３１Ａ、３１Ｂとを接続ケーブル３２Ａ、３２Ｂにより接続する。
【００６２】
従って、ＨＤＤ３５Ａ、３５Ｂに接続された各接続ケーブル３２Ａ、３２Ｂは、それぞれ対応（適合）するコネクタ３１Ａ、３１Ｂのみに接続するように、その接続対象が一意的に決定され、異なるコネクタ３１Ａ、３１Ｂに接続されずに、互いに接続すべきもの同士が接続される。従って、各ＨＤＤ３５Ａ、３５Ｂが、接続ケーブル３２Ａ、３２Ｂにより各々接続すべきコネクタ３１Ａ、３１Ｂに接続され、シリアルＡＴＡ−Ｉ／Ｆ制御部１３の対応するチャネルにそれぞれ正しく接続される。
【００６３】
このように、この第５の実施形態でも、コネクタ３１Ａ、３１Ｂと接続ケーブル３２Ａ、３２Ｂ及びＨＤＤ３５Ａ、３５Ｂとの誤接続を簡単な構成で防止できる等、前記各実施形態と同様の上記した各効果を得ることができる。即ち、本実施形態では、各接続ケーブル３２Ａ、３２Ｂを、プリント基板Ｐを挟んだ同じ領域側のコネクタ３１Ａ、３１Ｂに接続しており、その接続対象が一意的に決定されるため、その誤接続を確実に防止することができる。また、これに伴い、接続ケーブル３２Ａ、３２Ｂの捻りや交差等の不適切な状態での配線も防止できるため、上記した経時劣化の進行やプリント基板Ｐ等の欠陥の発生を効果的に防止することもできる。
【００６４】
なお、これらコネクタ３１Ａ、３１Ｂと接続ケーブル３２Ａ、３２Ｂ及びＨＤＤ３５Ａ、３５Ｂは、それぞれ接続されるもの同士が接続ケーブル３２Ａ、３２Ｂを捻る等することなく接続できるように、それぞれ対応した状態で配置等されていればよい。従って、コネクタ３１Ａ、３１Ｂの実装状態は、互いに上下反転した状態（位置関係）でも、同じ状態でもよく、それらに応じて、ＨＤＤ３５Ａ、３５Ｂもそれぞれ、プリント基板Ｐ側に同じ面を向けた互いに反転した状態に、或いはプリント基板Ｐ側に逆側の面を向けて非反転の状態に配置等してもよい。
【００６５】
また、この第５の実施形態の各接続ケーブル３２Ａ、３２Ｂは、誤接続を一層確実に防止する観点から、上記した第２の実施形態（図４、図５参照）と同様に、少なくとも一方を、対応するＨＤＤ３５Ａ、３５Ｂとコネクタ３１Ａ、３１Ｂのみを互いに接続可能な長さに形成してよい。同様に、その少なくとも一方を、上記した第３の実施形態（図６、図７参照）と同様にケーブル固定手段４０により固定して、ＨＤＤ３５Ａ、３５Ｂと対応するコネクタ３１Ａ、３１Ｂのみを接続可能にしてもよい。更に、これらＨＤＤ３５Ａ、３５Ｂとコネクタ３１Ａ、３１Ｂは、プリント基板Ｐを挟んだ互いに逆側の領域で、上記した第４の実施形態（図８、図９参照）と同様に、それぞれ対応するもの同士のみが各接続ケーブル３２Ａ、３２Ｂにより接続されるように各々離間させて配置してもよい。
【００６６】
（第６の実施形態）
次に、第１の実施形態の画像処理装置１に対し、対を成すコネクタ３１Ａ、３１Ｂ同士、及び接続ケーブル３２Ａ、３２Ｂ同士の型式を異なるものにして、互いに取り付け状態を異なるように実装や配置等した第６の実施形態について説明する。
図１２は、この第６の実施形態のプリント基板Ｐへのコネクタ３１Ａ、３１Ｂ’の実装状態を示す模式図であり、図１３は、図１２に示すコネクタ３１Ａ、３１Ｂ’と接続されたＨＤＤ３５Ａ、３５Ｂ’の配置状態等を示す模式図である。
【００６７】
第６の実施形態では、図１２、図１３に示すように、一方のコネクタ（ここでは第１のコネクタ３１Ａ）と、対応する第１のＨＤＤ３５Ａ及び第１の接続ケーブル３２Ａは、既に説明した第１の実施形態（図２、図３参照）と同様に構成されている。しかしながら、第６の実施形態では、この信号線用コネクタである第１のコネクタ３１Ａに対し、他方の第２のコネクタ３１Ｂ’を信号線用と電源用の一体型コネクタ（シリアルＡＴＡコネクタ）にしている点で、第１の実施形態と相違する。
【００６８】
具体的には、第２のコネクタ３１Ｂ’（図１２参照）は、信号線用と電源用の２つ分のコネクタが一体化して第１のコネクタ３１Ａよりも幅広になる等、その形状が異なるように形成され、第１のコネクタ３１Ａに隣り合う位置（図では右側）に配置されて、プリント基板Ｐの同一実装面上に実装されている。また、ＨＤＤ３５Ａ、３５Ｂ’（図１３参照）は、接続されるべき各コネクタ３１Ａ、３１Ｂ’の実装状態に応じて、その取り付け状態にそれぞれ適合して配置されている。また、ＨＤＤ３５Ａ、３５Ｂ’は、ここでは、互いに表裏反転した状態で隣り合う位置に、かつ対応する各コネクタ３１Ａ、３１Ｂ’に対向するように配置されて装置本体に実装（取付）されている。
【００６９】
ただし、第１のＨＤＤ３５Ａには、接続される第１のコネクタ３１Ａに応じて用いられる、信号線用コネクタのみに接続可能な信号線用の第１の接続ケーブル３２Ａが接続され、第１のコネクタ３１Ａのみに接続するようになっている。一方、第２のＨＤＤ３５Ｂ’には、接続される第２のコネクタ３１Ｂ’に応じて用いられる、一体型コネクタのみに接続可能な信号線用と電源用の一体型の第２の接続ケーブル３２Ｂ’が接続され、第２のコネクタ３１Ｂ’のみに接続するようになっている。また、これら両ＨＤＤ３５Ａ、３５Ｂ’に接続された接続ケーブル３２Ａ、３２Ｂ’は、捻られる等することなく各コネクタ３１Ａ、３１Ｂ’に接続されるように、対応するコネクタ３１Ａ、３１Ｂ’の実装方向等に応じて配線されている。
【００７０】
このような画像処理装置１におけるＨＤＤ３５Ａ、３５Ｂ’等の各構成の実装方法は、まず、信号線用の第１のコネクタ３１Ａと一体型の第２のコネクタ３１Ｂ’を、それぞれプリント基板Ｐの同一実装面上の所定位置に配置して実装する。また、信号線用の第１の接続ケーブル３２Ａ及び一体型の第２の接続ケーブル３２Ｂ’が各々接続されるＨＤＤ３５Ａ、３５Ｂ’を、接続されるべき各コネクタ３１Ａ、３１Ｂ’の実装位置や向き等の実装状態に応じて、各々互いに適合するように所定位置に配置して同状態で装置本体に取り付けて実装する。その後、画像処理装置１の組立時等に、各ＨＤＤ３５Ａ、３５Ｂ’から伸びる接続ケーブル３２Ａ、３２Ｂ’を、それぞれ対応するコネクタ３１Ａ、３１Ｂ’に接続することで、ＨＤＤ３５Ａ、３５Ｂ’と各々対応するコネクタ３１Ａ、３１Ｂ’とを各接続ケーブル３２Ａ、３２Ｂ’により接続する。
【００７１】
従って、ＨＤＤ３５Ａ、３５Ｂ’に接続された各接続ケーブル３２Ａ、３２Ｂ’は、それぞれ対応（適合）するコネクタ３１Ａ、３１Ｂ’のみに接続するように、その接続対象が一意的に決定され、異なるコネクタ３１Ａ、３１Ｂ’に接続されずに、互いに接続すべきもの同士が接続される。従って、各ＨＤＤ３５Ａ、３５Ｂ’が、接続ケーブル３２Ａ、３２Ｂ’により各々接続すべきコネクタ３１Ａ、３１Ｂ’に接続され、シリアルＡＴＡ−Ｉ／Ｆ制御部１３の対応するチャネルにそれぞれ正しく接続される。
【００７２】
このように、この第６の実施形態でも、コネクタ３１Ａ、３１Ｂ’と接続ケーブル３２Ａ、３２Ｂ’及びＨＤＤ３５Ａ、３５Ｂ’との誤接続を簡単な構成で防止できる等、前記各実施形態と同様の上記した各効果を得ることができる。即ち、本実施形態では、各コネクタ３１Ａ、３１Ｂ’同士、及び接続ケーブル３２Ａ、３２Ｂ’同士を、それぞれ異なる型式（信号線用及び一体型）にしたため、各々の接続対象が一意的に決定され、その誤接続を確実に防止することができる。また、これに伴い、接続ケーブル３２Ａ、３２Ｂ’の捻りや交差等の不適切な状態での配線も防止できるため、上記した経時劣化の進行やプリント基板Ｐ等の欠陥の発生を効果的に防止することもできる。
【００７３】
なお、これらコネクタ３１Ａ、３１Ｂ’は、プリント基板Ｐの同一実装面上に実装してもよく、互いに逆側の面（表裏）に実装してもよい。また、これらコネクタ３１Ａ、３１Ｂ’の実装状態に応じて、ＨＤＤ３５Ａ、３５Ｂ’も、プリント基板Ｐを挟んだ同じ領域で互いに反転して、又は反転させずに配置してもよく、或いはプリント基板Ｐを挟んだ逆側の領域に各々配置等してもよい。
【図面の簡単な説明】
【００７４】
【図１】第１の実施形態の画像処理装置の概略構成を示すブロック図である。
【図２】第１の実施形態のプリント基板へのコネクタの実装状態を示す模式図である。
【図３】第１の実施形態のＨＤＤの配置状態と図２に示すコネクタとの接続状態を示す模式図である。
【図４】第２の実施形態のプリント基板へのコネクタの実装状態を示す模式図である。
【図５】図４に示すコネクタと接続されたＨＤＤの配置状態を示す模式図である。
【図６】第３の実施形態のプリント基板へのコネクタの実装状態を示す模式図である。
【図７】図６に示すコネクタと接続されたＨＤＤの配置状態を示す模式図である。
【図８】第４の実施形態のプリント基板へのコネクタの実装状態を示す模式図である。
【図９】図８に示すコネクタと接続されたＨＤＤの配置状態を示す模式図である。
【図１０】第５の実施形態のプリント基板へのコネクタの実装状態を示す模式図である。
【図１１】図１０に示すコネクタと接続されたＨＤＤの配置状態を示す模式図である。
【図１２】第６の実施形態のプリント基板へのコネクタの実装状態を示す模式図である。
【図１３】図１２に示すコネクタと接続されたＨＤＤの配置状態を示す模式図である。
【符号の説明】
【００７５】
１・・・画像処理装置、２・・・電源生成部、３・・・スキャナー制御部、４・・・ＦＡＸ制御部、５・・・操作部、６・・・プロッター制御部、７・・・周辺機制御部、９・・・バス、１０・・・コントローラ制御部、１１・・・ネットワークＩ／Ｆ制御部、１２・・・ＵＳＢ−Ｉ／Ｆ制御部、１３・・・シリアルＡＴＡ−Ｉ／Ｆ制御部、２０・・・コネクタ、２１・・・バス、２２・・・コネクタ、２３・・・バス、３０Ａ、３０Ｂ・・・バス、３１Ａ、３１Ｂ・・・コネクタ、３２Ａ、３２Ｂ・・・接続ケーブル、３５Ａ、３５Ｂ・・・ＨＤＤ、４０・・・ケーブル固定手段、Ｐ・・・プリント基板。
【図１】
0004996401.tif 000002
【図２】
0004996401.tif 000003
【図３】
0004996401.tif 000004
【図４】
0004996401.tif 000005
【図５】
0004996401.tif 000006
【図６】
0004996401.tif 000007
【図７】
0004996401.tif 000008
【図８】
0004996401.tif 000009
【図９】
0004996401.tif 000010
【図１０】
0004996401.tif 000011
【図１１】
0004996401.tif 000012
【図１２】
0004996401.tif 000013
【図１３】
0004996401.tif 000014